(57)【要約】【課題】配管等の接続や着脱の作業性の向上させたヒートポンプ給湯機を提供すること。【解決手段】湯水を加熱するヒーポンユニットと、前記ヒーポンユニットとの間で湯水が循環する貯湯タンクを有する貯湯ユニットと、を備え、前記ヒーポンユニットの一の筺体側面側には接続電線を接続するための端子台１と前記貯湯タンクとの間で温水を循環させるために配置された管接続具（１０、１１）とが設けられ、前記端子台１は、金属製の端子台カバー５と前記端子台カバー５の外側に配置される樹脂製の保護カバー６とによって二重に覆われ、前記管接続具（１０、１１）は、樹脂製のカップリングカバー８によって覆われていることを特徴とするヒートポンプ給湯機。【選択図】図１
2014077635.tif 000002
【特許請求の範囲】
【請求項１】
湯水を加熱するヒーポンユニットと、
前記ヒーポンユニットとの間で湯水が循環する貯湯タンクを有する貯湯ユニットと、を備え、
前記ヒーポンユニットの一の筺体側面側には、接続電線を接続するための端子台と前記貯湯タンクとの間で温水を循環させるために配置された管接続具とが設けられ、
前記端子台は、金属製の端子台カバーと前記端子台カバーの外側に配置される樹脂製の保護カバーとによって二重に覆われ、
前記管接続具は、樹脂製のカップリングカバーによって覆われていることを特徴とするヒートポンプ給湯機。
【発明の詳細な説明】
【技術分野】
【０００１】
本発明は、電子部品となる端子台を用いたヒートポンプ給湯機に関するものである。
【背景技術】
【０００２】
従来の端子台と電源カバーと配管接続弁の取付構成では、側板に端子台を配設して内外接続電線を接続し、もう一方の下部には配管接続弁に配管を接続して、外部ユニットに連絡している。端子台と配管接続弁を覆い隠すため、電源カバーを用いて収納している。
【０００３】
接続弁支持板の上部に閉塞板を別パーツとして取付ることにより、端子台のコネクタを取り外す手間がなく閉塞板と一体で取り外せることができメンテナンス性を向上できる発明が開示されている（例えば、特許文献１参照）。
【先行技術文献】
【特許文献】
【０００４】
【特許文献１】特開２００７−２７８５５９号公報
【発明の概要】
【発明が解決しようとする課題】
【０００５】
しかしながら、上記従来の構成では、側板に配設させた端子台と内外接続電線を直接的に配管カバーで覆い、右側の開口部より電線と配管を引き出す構成となっているため、一般作業者が配管接続の着脱や凍結防止のために温水ブロック内の温水を抜く場合では、電源部の近傍にある部品に触れる可能性が高く、作業性の効率が悪いという課題を有していた。
【０００６】
本発明は、上記従来の課題を解決するもので、配管等の接続や着脱の作業性の向上させたヒートポンプ給湯機を提供することを目的とする。
【課題を解決するための手段】
【０００７】
上記課題を解決するため、本願発明のヒートポンプ給湯機は、湯水を加熱するヒーポンユニットと、前記ヒーポンユニットとの間で湯水が循環する貯湯タンクを有する貯湯ユニットと、を備え、前記ヒーポンユニットの一の筺体側面側には接続電線を接続するための端子台と前記貯湯タンクとの間で温水を循環させるために配置された管接続具とが設けられ、前記端子台は、金属製の端子台カバーと前記端子台カバーの外側に配置される樹脂製の保護カバーとによって二重に覆われ、前記管接続具は、樹脂製のカップリングカバーによって覆われていることを特徴とするもので、前記端子台カバーと前記管接続具と覆うカバーを分割することで、前記管接続具と覆うカバーを取り外すことき、電源部近傍に触れずに配管接続作業が実施できるため、特に樹脂製の軽量の部材を採用することで作業性を高めることができる。
【発明の効果】
【０００８】
本発明によれば、配管等の接続や着脱の作業性の向上させたヒートポンプ給湯機を提供できる。
【図面の簡単な説明】
【０００９】
【図１】本発明の実施の形態１における筐体側面の斜視図
【図２】同保護カバー取付の斜視図
【図３】同カップリングカバー取付の側面図
【図４】同完成状態の斜視図
【図５】従来の電源カバーの斜視図
【発明を実施するための形態】
【００１０】
第１の発明は、湯水を加熱するヒーポンユニットと、前記ヒーポンユニットとの間で湯水が循環する貯湯タンクを有する貯湯ユニットと、を備え、前記ヒーポンユニットの一の筺体側面側には接続電線を接続するための端子台と前記貯湯タンクとの間で温水を循環させるために配置された管接続具とが設けられ、前記端子台は、金属製の端子台カバーと前記端子台カバーの外側に配置される樹脂製の保護カバーとによって二重に覆われ、前記管接続具は、樹脂製のカップリングカバーによって覆われていることを特徴とするもので、電源部近傍と配管接続部を覆うカバーを上下に分割して分けたことで、一般作業者が配管接続の着脱や凍結防止のために温水を抜く場合に、電源部の近傍にある部品に触れることなく、前記管接続具を覆うカバーを取り外すだけで、最小限の部品とスペースで作業を実施できる。また、配管接続部の近傍にある水抜き栓を緩めるときも、水抜き作業が簡単に行うことができる。また、保護カバーが燃焼した場合でも、保護カバーの内側の金属製の端子台カバーによって遮られるため、不燃化対応することにより端子台が燃えにくく感電も防止することのできる安全な構成とすることができる。
【００１１】
なお、前記保護カバーに開口穴を設けて、筺体側板に固定するように構成すると、上側の保護カバーを固定し、手締めねじではなくビス固定しておくことで、サービスマンや専門の作業者でしか電源部近傍に触ることができない構成となり、安全性を向上させることができる。
【００１２】
なお、前記カップリングカバーに開口穴を設けて、筺体側板に固定するように構成すると、一般作業者が配管接続の着脱を行う場合や凍結防止のために温水を抜くために、樹脂製の手締めねじとカップリングカバー取りを外すだけで、最小限の部品とスペースで作業を実施でき、配管接続部の近傍にある水抜き栓を緩めることで水抜き作業が簡単に行うことができる。
【００１３】
なお、前記保護カバーの下部は、前記カップリングカバーにて覆い、保護カバーとカップリングカバーとを筺体側板に固定した状態では、前記保護カバーを前記筺体側板に固定する固定具を、前記カップリングカバーにて覆う構成としてもよい。
【００１４】
これによれば、保護カバーの下部に有している段差状の突起部分は、カップリングカバーで覆われているため、保護カバーの下部に有している段差状の突起部分上にビス穴を配設し、ビス留めの後にカップリングカバーで覆い隠すことにより、カップリングカバーを取り外す際に、直接、端子台カバーを取り外すことができない構成とすることにより、安全性を向上させることができる。
【００１５】
以下、添付の図面を参照しつつ、本発明の実施の形態について説明する。なお、この実施の形態によって本発明が限定されるものではない。
【００１６】
（実施の形態１）
以下、本発明の一実施の形態によるヒートポンプ給湯機について図面を用いて説明する。最初に、図１と図２を用いてヒートポンプ給湯機の室外機の構成について説明する。
【００１７】
同図においてヒートポンプ給湯機は、基板３１上にカップリングトメグ１４、側板２が搭載され、側板２上に端子台１を配置して外部から電気を供給する内外接続電線４は、端子台１の下部から、電子制御装置を搭載した電源部３２の電装部リード線３は端子台１の上部から接続している。
【００１８】
側板２の上側中央に開口部を設けて、その略全体を覆うように金属製の端子台カバー５を配置している。端子台カバー５と側板の開口部を完全に覆うように、樹脂製の保護カバー６をビス７で固定する。最後に側板２の空間部を完全に埋めるようにカップリングカバー８が取り付けられて手締めねじ９によって締め付ける構成としている。
【００１９】
次に、図２と図３を用いて側板とカップリングトメグならびに管接続具の構成について、図面を参照にしながら説明する。
【００２０】
側板２の下部中央に開口部を設けてそれを覆うようにカップリングトメグ１４を配置し、カップリングトメグ１４上に管接続具出口１０と管接続具入口１１を設けて先端をホースで接続することで貯湯タンクへ温水の供給を行っている。
【００２１】
また、管接続具出口１０は長時間不使用の場合に本体に残っている水を抜くために空気抜き栓１５を設けていて、空気抜き栓１５を緩めて側板２下部にある水抜栓１６を併用することで本体からの排水を促進させることができる。
【００２２】
次に、図１〜図４を用いて樹脂製の保護カバーとカップリングカバーの構成について、図面を参照にしながら説明する。
【００２３】
まず、図４のように製品完成状態において配管接続または水抜き作業を実施する際に、手締めねじ９を外し、カップリングカバー８を取り外す。そうすると図３となり、工具を一切必要とせず水抜き作業または配管接続作業を行うことができる。
【００２４】
ここで保護カバー６がビス７によって締結されて、電装部となる端子台１が完全に覆われていると共に、保護カバー６は工具を使用しないと外すことが出来ないため、安全に作業することが可能となる。
【００２５】
また、保護カバー６の下部の壁面を肉厚分落として、カップリングカバー８の上部を肉厚分だけ張り出して双方のかん合させて、ビス７をカップリングカバー８で覆い隠すことで、完成状態においてビス７が見えなくなり保護カバー６が外せないため、直接電源部に触れることがない構成とすることで、より安全性を向上させている。
【００２６】
更に、狭いスペースで作業を行う場合、電源カバーを２分割して小型化することにより、省スペースでの作業性を向上させるだけでなく、メンテナンス性も向上させることが可能となる。
【００２７】
また、配管接続作業中において、外部に湿気が高かったり可燃物があって、それが電源部に伝わり燃焼しやすくなる状況下においても、側板２が保護カバー６で完全に覆われているため、端子台１に燃え移る可能性が低くなる。
【００２８】
万一、保護カバー６が燃焼した場合には、保護カバー６の内側に金属製の端子台カバー５によって遮られるため、不燃化対応することにより端子台１が燃えにくく感電も防止することのできる安全な構成とすることができる。
【００２９】
更に、保護カバー６とカップリングカバー８が取り付けられた状態において、外観視において双方の合わせ面が水平で構成されていることによって、配管カバーを分割しない場合と同等の美観性を得ることができる。
【００３０】
以上のようなヒートポンプ給湯機の構成とすることで、電源カバーをカップリングカバ
ーと保護カバーに分割することにより、配管接続作業と水抜き作業性を高めながら電装部に触れることがなく、各々の部品を簡素化かつ不燃化構造とすることで、製品安全性に優れたヒートポンプ給湯機となる。
【産業上の利用可能性】
【００３１】
本発明は、給湯機または空気調和機など、端子台を内蔵した機器に適用できる。
【符号の説明】
【００３２】
１  端子台
２  側板
３  電装部リード線
４  内外接続電線
５  端子台カバー
６  保護カバー
７  ビス
８  カップリングカバー
９  手締めねじ
１０  管接続具出口
１１  管接続具入口
１２  端子台カバーねじ
１３  端子台カバー穴
１４  カップリングトメグ
１５  空気抜き栓
１６  水抜栓
２１  平行面上
２２  平行面下
３１  基板
３２  電源部
【図１】
2014077635.tif 000003
【図２】
2014077635.tif 000004
【図３】
2014077635.tif 000005
【図４】
2014077635.tif 000006
【図５】
2014077635.tif 000007